【事件の表示】
　特願２０００−２４３９４１「電子回路基板の実装用シェルフ」拒絶査定不服審判事件〔平成１４年２月２２日出願公開、特開２００２−５７４７６〕について、次のとおり審決する。
【結　論】
　本件審判の請求は、成り立たない。
【理　由】
【１】手続の経緯
　本願は、平成１２年８月１１日の出願であって、平成１５年４月２日付けで拒絶査定がなされ、これに対し、同年５月６日に拒絶査定に対する審判請求がなされるとともに、同年６月４日付けで手続補正がなされたものである。
　
【２】平成１５年６月４日付けの手続補正についての補正却下の決定
［補正却下の決定の結論］
　平成１５年６月４日付けの手続補正を却下する。
［理由］
１．補正後の本願発明
　本件補正により、特許請求の範囲の請求項１は、
「本体と、
　前記本体に支持され第１案内面を持つ第１案内体と、
　前記本体に支持され第２案内面を持つ第２案内体と、
　前記本体に支持され第３案内面を持つ第３案内体と、
　前記本体に支持され第４案内面を持つ第４案内体とを含み、
　前記第１案内面と前記第２案内面とは、前記電子回路基板の一方の直線状の第１端縁領域の第１端面部分が同時に無理なく接触することができる第１接触面をそれぞれに有し、
　前記第３案内面と前記第４案内面とは、前記電子回路基板の他方の直線状の第２端縁領域の第２端面部分が同時に無理なく接触することができる第２接触面をそれぞれに有し、
　前記第１案内体と前記第２案内体とは、前記電子回路基板の前記第１端縁領域又は前記第２端縁領域が延びる方向の幅の程度に離隔し、前記第３案内体と前記第４案内体とは前記幅の程度に離隔し、
前記第１接触面は、互いに対向して反対方向に傾斜し概円錐面である２つの第１傾斜面により形成され、
　前記第２接触面は、互いに対向して反対方向に傾斜し概円錐面である２つの第２傾斜面により形成されていることを特徴とする電子回路基板の実装用シェルフ。」
と補正された。
　上記補正は、請求項１に記載した発明を特定するために必要な事項である「第１接触面」「第２接触面」について、それぞれ、「互いに対向して反対方向に傾斜し概円錐面である２つの第１傾斜面により形成され」「互いに対向して反対方向に傾斜し概円錐面である２つの第２傾斜面により形成され」との限定を付加したものであって、特許法第１７条の２第４項第２号に規定する「特許請求の範囲の減縮」を目的とするものに該当する。
　そこで、本件補正後の上記請求項１に記載された事項により特定される発明（以下、「本願補正発明」という。）が特許出願の際独立して特許を受けることができるものであるか（平成１５年改正前の特許法第１７条の２第５項において準用する同法第１２６条第４項の規定に適合するか）について以下で検討する。
　
２．引用刊行物とその記載事項
　原査定の拒絶の理由に引用された刊行物とその記載事項は次のとおりである。
　
　刊行物１：特開平４−３１９０００号公報
　刊行物２：実願昭６２−７３９３９号（実開昭６３−１８２５９５号）
　　　　　　のマイクロフィルム
　
２−１．刊行物１（特開平４―３１９０００号公報）の記載事項
　刊行物１には、「シエルフのプリント板ガイド構造」に関して、図１，２とともに、
【要約】に、
「【目的】　各種電子機器の構成に広く使用されるシエルフのプリント板ガイド構造に関し、部品点数の低減と摩耗や摩擦屑を発生させないことを目的とする。
【構成】　複数枚のプリント板ユニット１が実装できる箱状に成形したシエルフ２の上下内面に、耐摩耗性の優れた棒材に上記プリント板ユニット１の実装ビッチで上下両端縁が摺動可能な幅の複数個の溝13ａを形成した複数本のガイド部材13を当該プリント板ユニット１の実装方向と直交するようにそれぞれ平行に配設して、該摺動溝13ａにより上記プリント板ユニット１の上下両端縁をガイドして挿抜・保持できるように構成する。」と記載され、
段落【００１１】に、
「ガイド部材１３は、図１に示すようにシエルフ２の両側壁に係着できる長さに耐摩耗性の優れた金属丸棒を切断して、図２に示す如くこの両端縁にシエルフ２の側壁に係着する軸着部１３ｂを設けるとともに、その中間部に底面がプリント板ユニット１の基板１−１板厚と等しい寸法で梯形状の摺動溝１３ａを該プリント板ユニット１の実装ビッチで形成し、必要により全表面に防錆用のめっきを施したものである。」と記載され、
段落【００１２】に、
「上記部材を使用したシエルフのプリント板ガイド構造は、図１に示すように複数枚のプリント板ユニット１が実装できる箱状に成形したシエルフ２の上下内面に、ガイド部材１３をそれぞれ複数本，例えば各３本をシエルフ２の両側壁に上記軸着部１３ｂを挿入することによりプリント板ユニット１の実装方向と直交させて平行に横設し、実装されるプリント板ユニット１の基板１−１両側端縁をシエルフ２内の上下で対向するガイド部材１３の摺動溝１３ａでガイドするとともに保持するように構成している。」と記載され、
段落【００１６】に、
「以上、図示実施例に基づき説明したが、本発明は上記実施例の態様のみに限定されるものでなく、例えばシエルフ２の上下内面に横設するガイド部材１３はプリント板ユニット１の大きさに対応させて増減しても良く、それぞれ３本に限定しなくても良い。」と記載されている。
　
　上記段落【００１２】の「シエルフ２の上下内面に、ガイド部材１３をそれぞれ複数本，…プリント板ユニット１の実装方向と直交させて平行に横設し、」及び段落【００１６】の「シエルフ２の上下内面に横設するガイド部材１３はプリント板ユニット１の大きさに対応させて増減しても良く、それぞれ３本に限定しなくても良い。」との記載から、刊行物１には、４本のガイド部材１３をシエルフ２の上下内面に横設する構成のものも含むことが記載されているといえるので、以下では、これら４本のガイド部材１３を、それぞれ第１〜第４ガイド部材１３という。
　また、各ガイド部材１３に形成された梯形状の摺動溝１３ａは、プリント板ユニット１の基板１−１両側端縁をガイドするものであるので、当該基板１−１の直線状の各端縁領域の各端面部分が同時に無理なく接触することができる各接触面を有するものと認められる。
　そうすると、上記記載事項及び図１，２の記載を総合すると、刊行物１には、
「シエルフ２と、
　前記シエルフ２に支持され第１摺動溝13ａを持つ第１ガイド部材13と、
　前記シエルフ２に支持され第２摺動溝13ａを持つ第２ガイド部材13と、
　前記シエルフ２に支持され第３摺動溝13ａを持つ第３ガイド部材13と、
　前記シエルフ２に支持され第４摺動溝13ａを持つ第４ガイド部材13とを含み、
　前記第１摺動溝13ａと前記第２摺動溝13ａとは、プリント板ユニット１の基板１−１の一方の直線状の第１端縁領域の第１端面部分が同時に無理なく接触することができる第１接触面をそれぞれに有し、
　前記第３摺動溝13ａと前記第４摺動溝13ａとは、前記プリント板ユニット１の基板１−１の他方の直線状の第２端縁領域の第２端面部分が同時に無理なく接触することができる第２接触面をそれぞれに有するシエルフ」
の発明（以下、「刊行物１記載の発明」という。）が記載されていると認められる。
　
２−２．刊行物２（実願昭６２−７３９３９号（実開昭６３−１８２５９５号）のマイクロフィルム）の記載事項
　刊行物２には、基板１３の下辺１４と接触するＶ溝４をローラ５に設けることが記載されており、図面第１図及び第４図の記載からみて、上記Ｖ溝４の接触面は、互いに対向して反対方向に傾斜し概円錐面である２つの傾斜面により形成されているものと認められる。
　
３．発明の対比
　本願補正発明と刊行物１記載の発明とを対比すると、刊行物１記載の発明の「シエルフ２」は本願補正発明の「本体」に相当し、以下同様に、「摺動溝13ａ」は「案内面」に、「ガイド部材１３」は「案内体」に、「プリント板ユニット１の基板１−１」は「電子回路基板」に、それぞれ相当するので、本願補正発明と刊行物１記載の発明とは、
《一致点》
「本体と、
　前記本体に支持され第１案内面を持つ第１案内体と、
　前記本体に支持され第２案内面を持つ第２案内体と、
　前記本体に支持され第３案内面を持つ第３案内体と、
　前記本体に支持され第４案内面を持つ第４案内体とを含み、
　前記第１案内面と前記第２案内面とは、電子回路基板の一方の直線状の第１端縁領域の第１端面部分が同時に無理なく接触することができる第１接触面をそれぞれに有し、
　前記第３案内面と前記第４案内面とは、前記電子回路基板の他方の直線状の第２端縁領域の第２端面部分が同時に無理なく接触することができる第２接触面をそれぞれに有する電子回路基板の実装用シェルフ。」
である点で一致し、次の２点（相違点１及び２）で相違している。
　
《相違点１》
　本願補正発明では、「第１案内体と第２案内体とは、電子回路基板の第１端縁領域又は第２端縁領域が延びる方向の幅の程度に離隔し、第３案内体と第４案内体とは前記幅の程度に離隔し」ているのに対して、刊行物１記載の発明では、そのような離隔についての言及がない点。
《相違点２》
　本願補正発明では、「第１接触面は、互いに対向して反対方向に傾斜し概円錐面である２つの第１傾斜面により形成され、第２接触面は、互いに対向して反対方向に傾斜し概円錐面である２つの第２傾斜面により形成されている」のに対して、刊行物１記載の発明では、摺動溝13ａの形状について「梯形状」としている点。
　
４．当審の判断
　そこで、上記各相違点について以下で検討する。
《相違点１》について
　刊行物１記載のガイド部材１３は、プリント板ユニット１の基板１−１両側端縁を保持するものであるので、シエルフ２の上下内面にそれぞれ２本のガイド部材１３を横設した場合に、当該２本のガイド部材１３を、基板１−１の両側端縁領域が延びる方向の幅の程度に離隔することは、当業者であれば通常採用する設計上の事項といえるし、また、当該設計上の事項は、刊行物１の図１の記載からも窺える事項である。
　そうすると、相違点１に係る本願補正発明の構成事項は、当業者であれば通常採用する設計上の事項を特定したものにすぎない。
《相違点２》について
　刊行物２には、上記のとおり、ローラ５のＶ溝４の接触面を互いに対向して反対方向に傾斜し概円錐面である２つの傾斜面により形成することが記載されていると認められる。
　そして、刊行物１記載の発明も刊行物２に記載のものも、基板の収納に関するものである点では共通の技術分野に属し、また、刊行物２に記載のものを刊行物１記載の発明に適用することを妨げる特段の事由も見あたらない。
　そうすると、刊行物１記載の発明の摺動溝13ａを、「梯形状」に替えて「互いに対向して反対方向に傾斜し概円錐面である２つの傾斜面により形成」することによって、相違点２に係る本願補正発明の構成事項とすることは、刊行物２に記載ものに基づいて、当業者であれば容易に想到できた事項である。
　
　また、本願補正発明が奏する作用効果も、刊行物１及び２に記載された発明から当業者が予測できる範囲のものである。
　
　したがって、本願補正発明は、刊行物１及び２に記載された発明に基いて、当業者が容易に発明をすることができたものであるから、特許法第２９条第２項の規定により特許出願の際独立して特許を受けることができないものである。
　
５．むすび
　以上のとおり、本件補正は、平成１５年改正前の特許法第１７条の２第５項において準用する同法第１２６条第４項の規定に違反するものであり、特許法第１５９条第１項において読み替えて準用する同法第５３条第１項の規定により却下されるべきものである。
　
【３】本願発明について
１．本願発明 
　平成１５年６月４日付けの手続補正は上記のとおり却下されたので、本願の請求項１〜１９に係る発明は、願書に最初に添付した明細書の特許請求の範囲の請求項１〜１９に記載された事項により特定されるとおりのものと認められるところ、本願の請求項１に係る発明は、以下に記載された事項により特定されるとおりのものである。
「本体と、
　前記本体に支持され第１案内面を持つ第１案内体と、
　前記本体に支持され第２案内面を持つ第２案内体と、
　前記本体に支持され第３案内面を持つ第３案内体と、
　前記本体に支持され第４案内面を持つ第４案内体とを含み、
　前記第１案内面と前記第２案内面とは、前記電子回路基板の一方の直線状の第１端縁領域の第１端面部分が同時に無理なく接触することができる第１接触面をそれぞれに有し、
　前記第３案内面と前記第４案内面とは、前記電子回路基板の他方の直線状の第２端縁領域の第２端面部分が同時に無理なく接触することができる第２接触面をそれぞれに有し、
　前記第１案内体と前記第２案内体とは、前記電子回路基板の前記第１端縁領域又は前記第２端縁領域が延びる方向の幅の程度に離隔し、前記第３案内体と前記第４案内体とは前記幅の程度に離隔している
　電子回路基板の実装用シェルフ。」（以下、「本願発明」という。）
　
２．引用刊行物とその記載事項
　原査定の拒絶の理由に引用された刊行物１（特開平４―３１９０００号公報）とその記載事項は、上記「【２】２．２−１．」に記載したとおりである。
　
３．対比・判断
　本願発明は、上記【２】で検討した本願補正発明から、「第１接触面」「第２接触面」それぞれの特定事項である「互いに対向して反対方向に傾斜し概円錐面である２つの第１傾斜面により形成され」「互いに対向して反対方向に傾斜し概円錐面である２つの第２傾斜面により形成され」の構成事項を省いたものである。
　そして、本願発明と刊行物１記載の発明とを対比すると、上記「【２】３．」に記載した一致点で一致し、相違点１で相違しているが、当該相違点１に係る本願発明の構成事項は、上記「【２】４．」の「《相違点１》について」で説示した理由により、当業者であれば通常採用する設計上の事項を特定したものにすぎない。
　また、本願発明が奏する作用効果も、刊行物１記載の発明から当業者が予測できる範囲のものである。
　
４．むすび
　以上のとおり、本願発明（請求項１に係る発明）は、刊行物１に記載された発明に基いて、当業者が容易に発明をすることができたものであり、特許法第２９条第２項の規定により特許を受けることができないから、本願の他の請求項に係る発明について検討するまでもなく、本願は拒絶すべきものである。
　よって、結論のとおり審決する。